(57)【要約】【課題】  簡単操作で安価かつ汎用性のある無線装置制御システムを提供すること。【解決手段】ＶｏＩＰ技術を用いてＶＰＮ回線により、音声帯域の制御信号及び音声信号を送信して無線装置を遠隔制御する無線装置制御システムであって、ＩＰゲートウェイ１２を介してＩＰネットワーク１３に接続可能なＶｏＩＰ制御器１０と、ＩＰゲートウェイ１４を介してＩＰネットワーク１３に接続可能なＶｏＩＰ被制御器１６とを具備する。【選択図】      図１
2007150735.tif 000002
【特許請求の範囲】
【請求項１】
ＶｏＩＰ（Voice over Internet Protocol）技術を用いてＶＰＮ（Virtual Private Network）回線により、音声帯域の制御信号及び音声信号を送信して無線装置を遠隔制御する無線装置制御システムであって、
ＩＰゲートウェイを介してＩＰネットワークに接続可能なＶｏＩＰ制御器と、
前記無線装置に接続されるとともに、ＩＰゲートウェイを介して前記ＩＰネットワークに接続可能なＶｏＩＰ被制御器と、
を具備することを特徴とする無線装置制御システム。
【請求項２】
前記ＶｏＩＰ制御器は、
所定の接続先番号を前記ＶｏＩＰ被制御器に送出し、前記ＶｏＩＰ被制御器との間で前記ＶＰＮ回線を確立するＶＰＮ回線確立手段と、
音声を送信するにあたって、所定の確認信号を前記ＶｏＩＰ被制御器に送出し、前記ＶｏＩＰ被制御器からの応答信号に基づいて前記無線装置の状態を確認する無線装置監視手段と、
システムが正常に動作しないときに、所定のループ信号を前記ＶｏＩＰ被制御器に送出し、前記ＶｏＩＰ被制御器からの応答信号に基づいて前記無線装置の状態を判断する無線装置診断手段と、
を具備することを特徴とする請求項１記載の無線装置制御システム。
【請求項３】
前記ＶｏＩＰ被制御器は、
前記ＶｏＩＰ制御器からの着信音を検出して、前記ＶｏＩＰ制御器に対して着信応答を送出する着信応答手段と、
音声を送信するにあたって前記ＶｏＩＰ制御器から送出される確認信号を受信して、前記無線装置の状態を示す応答信号を前記ＶｏＩＰ制御器に送出する第１の状態信号送出手段と、
システムが動作しないときに前記ＶｏＩＰ制御器から送出されるループ信号を受信して、前記無線装置の状態を示す応答信号を前記ＶｏＩＰ制御器に送出する第２の状態信号送出手段と、
を具備する請求項１または２に記載の無線装置制御システム。
【請求項４】
ＶｏＩＰ（Voice over Internet Protocol）技術を用いてＶＰＮ（Virtual Private Network）回線により、音声帯域の制御信号及び音声信号を送信して無線装置を遠隔制御する無線装置制御システムにおいて用いられ、前記無線装置に接続されるとともに、ＩＰゲートウェイを介してＩＰネットワークに接続可能なＶｏＩＰ被制御器に対応して配置され、ＩＰゲートウェイを介して前記ＩＰネットワークに接続可能なＶｏＩＰ制御器であって、
所定の接続先番号を前記ＶｏＩＰ被制御器に送出し、前記ＶｏＩＰ被制御器との間で前記ＶＰＮ回線を確立するＶＰＮ回線確立手段と、
音声を送信するにあたって、所定の確認信号を前記ＶｏＩＰ被制御器に送出し、前記ＶｏＩＰ被制御器からの応答信号に基づいて前記無線装置の状態を確認する無線装置監視手段と、
システムが正常に動作しないときに、所定のループ信号を前記ＶｏＩＰ被制御器に送出し、前記ＶｏＩＰ被制御器からの応答信号に基づいて前記無線装置の状態を判断する無線装置診断手段と、
を具備することを特徴とするＶｏＩＰ制御器。
【請求項５】
ＶｏＩＰ（Voice over Internet Protocol）技術を用いてＶＰＮ（Virtual Private Network）回線により、音声帯域の制御信号及び音声信号を送信して無線装置を遠隔制御する無線装置制御システムにおいて用いられ、ＩＰゲートウェイを介してＩＰネットワークに接続可能なＶｏＩＰ制御器に対応して配置され、前記無線装置に接続されるとともに、ＩＰゲートウェイを介して前記ＩＰネットワークに接続可能なＶｏＩＰ被制御器であって、
前記ＶｏＩＰ制御器からの着信音を検出して、前記ＶｏＩＰ制御器に対して着信応答を送出する着信応答手段と、
音声を送信するにあたって前記ＶｏＩＰ制御器から送出される確認信号を受信して、前記無線装置の状態を示す応答信号を前記ＶｏＩＰ制御器に送出する第１の状態信号送出手段と、
システムが動作しないときに前記ＶｏＩＰ制御器から送出されるループ信号を受信して、前記無線装置の状態を示す応答信号を前記ＶｏＩＰ制御器に送出する第２の状態信号送出手段と、
を具備することを特徴とするＶｏＩＰ被制御器。
【発明の詳細な説明】
【技術分野】
【０００１】
本発明は、無線装置制御システム及び該無線装置制御システムにおいて用いられるＶｏＩＰ制御器及びＶｏＩＰ被制御器に関する。
【背景技術】
【０００２】
図１５は、従来の基地局制御システムの構成を示す図である。複数の制御器１００−１〜１００−ｎの各々は、それぞれ専用線１０１−１，１０１−３，１０１−４を介して基地局１０４−１に接続されるとともに、それぞれ専用線１０１−２，１０１−５，１０１−６を介して基地局１０４−２に接続される。基地局１０４−１は被制御器１０２−１と、アンテナ１０５−１を備えた無線機１０３−１とからなる。基地局１０４−２は被制御器１０２−２と、アンテナ１０５−２を備えた無線機１０３−２とからなる。複数の制御器１００−１〜１００−ｎは例えば同一の建物内に配置され、基地局１０４−１，１０４−２は例えば地域ごとに配置される。
【０００３】
このような専用線を用いた遠隔制御方式の一例は、例えば、特開平９−２３４８２号公報に記載されている。この公報は、送信を行うにあたって、無線機と接続している回線にトーン信号を重畳して送信制御を行う技術を開示している。また、専用線を用いた遠隔制御方式の他の例として、特開平１０−１８０５３２号公報がある。この公報は、音声通信とデータ通信とを切り分けて基地局を遠隔制御する技術を開示している。
【特許文献１】特開平９−２３４８２号公報
【特許文献２】特開平１０−１８０５３２号公報
【発明の開示】
【発明が解決しようとする課題】
【０００４】
従来の基地局の遠隔制御では、図１５に示すような専用線方式のシステム構成を用い、特定の連続制御信号（トーン又はＤＣループ）にて制御を行なっていた。従って、専用線使用の維持費が発生し、かつ専用の設備が必要となるので高価なシステムになってしまうという欠点がある。また、専用線方式では回線の断が発生する場合があるが、いったん回線の断が発生すると復旧するまでシステムを運用することができなくなってしまう、という欠点がある。
【０００５】
本発明はこのような課題に着目してなされたものであり、簡単操作で安価かつ汎用性のある無線装置制御システム及びＶｏＩＰ制御器及びＶｏＩＰ被制御器を提供することにある。
【課題を解決するための手段】
【０００６】
上記の目的を達成するために、本発明の第１の態様は、ＶｏＩＰ（Voice over Internet Protocol）技術を用いてＶＰＮ（Virtual Private Network）回線により、音声帯域の制御信号及び音声信号を送信して無線装置を遠隔制御する無線装置制御システムであって、ＩＰゲートウェイを介してＩＰネットワークに接続可能なＶｏＩＰ制御器と、前記無線装置に接続されるとともに、ＩＰゲートウェイを介して前記ＩＰネットワークに接続可能なＶｏＩＰ被制御器と、を具備する。
【０００７】
また、本発明の第２の態様は、第１の態様において、前記ＶｏＩＰ制御器は、所定の接続先番号を前記ＶｏＩＰ被制御器に送出し、前記ＶｏＩＰ被制御器との間で前記ＶＰＮ回線を確立するＶＰＮ回線確立手段と、音声を送信するにあたって、所定の確認信号を前記ＶｏＩＰ被制御器に送出し、前記ＶｏＩＰ被制御器からの応答信号に基づいて前記無線装置の状態を確認する無線装置監視手段と、システムが正常に動作しないときに、所定のループ信号を前記ＶｏＩＰ被制御器に送出し、前記ＶｏＩＰ被制御器からの応答信号に基づいて前記無線装置の状態を判断する無線装置診断手段と、を具備する。
【０００８】
また、本発明の第３の態様は、第１または第２の態様において、前記ＶｏＩＰ被制御器は、前記ＶｏＩＰ制御器からの着信音を検出して、前記ＶｏＩＰ制御器に対して着信応答を送出する着信応答手段と、音声を送信するにあたって前記ＶｏＩＰ制御器から送出される確認信号を受信して、前記無線装置の状態を示す応答信号を前記ＶｏＩＰ制御器に送出する第１の状態信号送出手段と、システムが動作しないときに前記ＶｏＩＰ制御器から送出されるループ信号を受信して、前記無線装置の状態を示す応答信号を前記ＶｏＩＰ制御器に送出する第２の状態信号送出手段と、を具備する。
【０００９】
また、本発明の第４の態様は、ＶｏＩＰ（Voice over Internet Protocol）技術を用いてＶＰＮ（Virtual Private Network）回線により、音声帯域の制御信号及び音声信号を送信して無線装置を遠隔制御する無線装置制御システムにおいて用いられ、前記無線装置に接続されるとともに、ＩＰゲートウェイを介してＩＰネットワークに接続可能なＶｏＩＰ被制御器に対応して配置され、ＩＰゲートウェイを介して前記ＩＰネットワークに接続可能なＶｏＩＰ制御器であって、所定の接続先番号を前記ＶｏＩＰ被制御器に送出し、前記ＶｏＩＰ被制御器との間で前記ＶＰＮ回線を確立するＶＰＮ回線確立手段と、音声を送信するにあたって、所定の確認信号を前記ＶｏＩＰ被制御器に送出し、前記ＶｏＩＰ被制御器からの応答信号に基づいて前記無線装置の状態を確認する無線装置監視手段と、システムが正常に動作しないときに、所定のループ信号を前記ＶｏＩＰ被制御器に送出し、前記ＶｏＩＰ被制御器からの応答信号に基づいて前記無線装置の状態を判断する無線装置診断手段と、を具備する。
【００１０】
また、本発明の第５の態様は、ＶｏＩＰ（Voice over Internet Protocol）技術を用いてＶＰＮ（Virtual Private Network）回線により、音声帯域の制御信号及び音声信号を送信して無線装置を遠隔制御する無線装置制御システムにおいて用いられ、ＩＰゲートウェイを介してＩＰネットワークに接続可能なＶｏＩＰ制御器に対応して配置され、前記無線装置に接続されるとともに、ＩＰゲートウェイを介して前記ＩＰネットワークに接続可能なＶｏＩＰ被制御器であって、前記ＶｏＩＰ制御器からの着信音を検出して、前記ＶｏＩＰ制御器に対して着信応答を送出する着信応答手段と、音声を送信するにあたって前記ＶｏＩＰ制御器から送出される確認信号を受信して、前記無線装置の状態を示す応答信号を前記ＶｏＩＰ制御器に送出する第１の状態信号送出手段と、システムが動作しないときに前記ＶｏＩＰ制御器から送出されるループ信号を受信して、前記無線装置の状態を示す応答信号を前記ＶｏＩＰ制御器に送出する第２の状態信号送出手段と、を具備する。
【発明の効果】
【００１１】
本発明によれば、簡単操作で安価かつ汎用性があり、従来の専用線を使用した無線装置制御システムと同等のサービスをＶＰＮ上で提供することができる。
【発明を実施するための最良の形態】
【００１２】
本発明では、ＶｏＩＰ（Voice over Internet Protocol）技術を用いてＶＰＮ（Virtual Private Network）回線により、音声帯域の制御信号及び音声信号を送信して無線装置の一つとしての基地局を制御、運用することを特徴とする。
【００１３】
以下、図面を参照して本発明の実施形態を詳細に説明する。図１は、本発明に係る無線装置制御システムの基本的な接続構成を示す図である。
【００１４】
図１において、ＶｏＩＰ制御器１０はモジュラーケーブル１１を介してＩＰ（Internet Protocol）ゲートウェイ（ＧＷ）１２に接続され、該ＩＰゲートウェイ（ＧＷ）１２はＩＰ（Internet Protocol）ネットワーク１３の一端に接続されている。該ＩＰネットワーク１３の他端には他のＩＰゲートウェイ（ＧＷ）１４が接続されている。該ＩＰゲートウェイ（ＧＷ）１４はモジュラーケーブル１５を介してＶｏＩＰ被制御器１６に接続されている。該ＶｏＩＰ被制御器１６はアンテナ１８を備える基地局等の無線装置１７に接続されている。なお、ここでのＶｏＩＰ接続は上記した図１の構成を単位として構成される。
【００１５】
図２は、本発明を基地局の無線機制御に適用したときの遠隔制御システムの接続構成を示す図である。遠隔制御器２０は遠隔制御器−ＶｏＩＰインターフェース装置２１を介してＶｏＩＰゲートウェイ２２に接続されている。該ＶｏＩＰゲートウェイ２２はブロードバンドルーター２３に接続され、該ブロードバンドルーター２３はＩＰネットワーク２４の一端に接続されている。該ＩＰネットワーク２４の他端にはブロードバンドルーター２５が接続されている。該ブロードバンドルーター２５はＶｏＩＰゲートウェイ２６に接続され、該ＶｏＩＰゲートウェイ２６は無線−ＶｏＩＰインターフェース装置（被制御器）２７を介してアンテナ２９を有する基地局無線機２８に接続されている。上記構成において、遠隔制御器２０と遠隔制御器−ＶｏＩＰインターフェース装置２１とは図１のＶｏＩＰ制御器１０に該当する。また、無線−ＶｏＩＰインターフェース装置２７と基地局無線機２８とは図１のＶｏＩＰ被制御器１６に該当する。また、遠隔制御器２０からブロードバンドルーター２３までの構成は例えば、本社／中央指令局３０に設置される。また、ブロードバンドルーター２５から基地局無線機２８までの構成は例えば支社・支店・支局・営業所など／無線中継所３１に設置される。
【００１６】
図３は、図１に示すＶｏＩＰ制御器１０の具体的な一構成を示すブロック図であり、主として、オーディオ回路及び制御回路５１と、１チップマイコンシステム５５と、トーンエンコーダ／デコーダ５６と、電話回線監視及び制御回路５７とを備えている。
【００１７】
マイクロホンが接続されるマイク接続端子５０はオーディオ回路及び制御回路５１と１チップマイコンシステム５５とに接続される。オーディオ回路及び制御回路５１には増幅器５２を介してスピーカ５３が接続されている。また、オーディオ回路及び制御回路５１にはトランス５８、リレー５９を介してＶｏＩＰゲートウェイ（ＩＰゲートウェイ）接続端子６０が接続されている。さらに、オーディオ回路及び制御回路５１にはトーンエンコーダ／デコーダ５６の一端が接続され、その他端は１チップマイコンシステム５５に接続されている。
【００１８】
また、１チップマイコンシステム５５には各種のボタンすなわち回線接続ボタン６１、ループ試験ボタン６２、リセットボタン６３が接続されるとともに、各種のＬＥＤすなわち回線接続ＬＥＤ６５、電源表示ＬＥＤ６６、送信表示ＬＥＤ６７、基地局ＬＥＤ６８、制御卓６９が接続されている。また、１チップマイコンシステム５５にはトーンエンコーダ／デコーダ５６の他端が接続されている。さらに、１チップマイコンシステム５５には、電話回線監視及び制御回路５７の一端が接続され、その他端はリレー５９およびＶｏＩＰゲートウェイ（ＩＰゲートウェイ）接続端子６０に接続されている。さらに、ＶｏＩＰ制御器１０には、外部電源端子６４が設けられている。
【００１９】
図４は、図１に示すＶｏＩＰ被制御器１６の具体的な一構成を示すブロック図であり、主として、オーディオ回路及び制御回路８６と、１チップマイコンシステム８５と、トーンエンコーダ／デコーダ８３と、電話回線監視及び制御回路８４と、ＰＴＴ（Push to Talk）ラッチ・ＰＴＴ維持制御回路８７と、基地局電源検出部８８とを備えている。
【００２０】
ＶｏＩＰゲートウェイ（ＩＰゲートウェイ）接続端子８０は、トーンエンコーダ／デコーダ８３と、電話回線監視及び制御回路８４とに接続されるとともに、リレー８１、トランス８２を介してオーディオ回路及び制御回路８６と１チップマイコンシステム８５とに接続される。
【００２１】
また、無線機接続端子８９は、オーディオ回路及び制御回路８６と、ＰＴＴラッチ・ＰＴＴ維持制御回路８７とに接続されるとともに、ダイオード９２を介して基地局電源検出部８８に接続される。無線機接続端子８９とダイオード９２間にはダイオード９４の一端が接続され、その他端はダイオード９５を介して外部電源端子９３に接続される。
【００２２】
１チップマイコンシステム８５には各種のＬＥＤすなわちＣＰＵ動作表示ＬＥＤ９６、回線接続ＬＥＤ９７、送信表示ＬＥＤ９８、電源表示ＬＥＤ９９が接続されている。また、１チップマイコンシステム８５には電話回線監視及び制御回路８４、トーンエンコーダ／デコーダ８３、オーディオ回路及び制御回路８６、ＰＴＴラッチ・ＰＴＴ維持制御回路８７と、基地局電源検出部８８とが接続される。
【００２３】
さらに、オーディオ回路及び制御回路８６には、増幅器９０を介してモニタ出力９１が接続される。
【００２４】
図５は、本実施形態の制御システムにおいて用いられる音声帯域を示す図である。音声帯域１５０は略３００Ｈｚ〜略３０００Ｈｚであり、その中央周辺の周波数が制御信号帯域として用いられる。
【００２５】
図６は、ＶｏＩＰ制御器がＶＰＮ回線を使用してＶｏＩＰ被制御器と通信を行うときの信号送信のようすを示している。ＰＴＴボタンが押されるとＤＴＭＦ制御信号（ここでは２個）が送出される。被制御器は基地局を送信状態に設定すると共に、送信開始の応答信号を制御器に送出する。その後は基地局の制御が被制御器に受け渡され音声信号のみが送信される。ＰＴＴボタンが離されたときにはＤＴＭＦ制御信号（ここでは２個）が送出される。被制御器は基地局の送信状態を解除すると共に送信開始の応答信号を制御器に送出する。このようにＤＴＭＦ制御信号は音声送信の開始時と終了時にしか送出されないのでＶＰＮ回線の瞬断やレベルの変動等の影響を受けない。また、制御器と被制御器の同期をとることが可能である。
【００２６】
以下に、図３及び図７から図９を参照してＶｏＩＰ制御器（以下では制御器と呼ぶ）１０の動作の詳細を説明する。
【００２７】
１．まず、電源ＯＮの動作について説明する。制御器１０に電源（ＡＣアダプター）を接続して外部電源端子６４から電源を供給（ステップＳ０）すると、１チップマイコンシステム５５は初期化動作を実行する（ステップＳ１）。ここでは、ＶＰＮ回線リレー、各種のＬＥＤ，Ｉ／Ｏの初期化を行う。また、ＶｏＩＰゲートウェイ接続番号の取り込みを行う。正常に立ち上がれば、電源表示ＬＥＤ６６及び制御卓ＬＥＤ６９が点灯する。これらＬＥＤ６６，６９の点灯により制御器１０は待ち受け状態に移行する（ステップＳ２）。
【００２８】
２．次に回線接続の動作について説明する。基地局を制御するためにはＶＰＮ回線に接続する必要がある。そのため、操作者が制御器１０上の回線接続ボタン６１を押すと、これが１チップマイコンシステム５５によって検出され、ステップＳ３の判断がＹＥＳとなって回線接続の動作が開始される（ステップＳ４）。
【００２９】
１チップマイコンシステム５５はまず、電話回線監視及び制御回路５７を介して、回線接続リレー５９をオンする（ステップＳ５）。これはフックアップ動作と呼ばれる。次に回線接続リレー５９のオンにより制御器１０がＶｏＩＰゲートウェイと接続されたことを知らせるダイヤルアップトーン（ツー音）をモニタする（ステップＳ６）。ダイヤルアップトーンが検出されてから３秒間待機（ステップＳ７）した後、トーンエンコーダ／デコーダ５６から接続先ゲートウェイの電話番号（３桁）を送出して（ステップＳ８）、基地局側からの着信応答を待つ。呼び出し中は回線接続ＬＥＤ６５が点滅する（ステップＳ９）。
【００３０】
電話回線監視及び制御回路５７は基地局側からの着信応答を回線の極性が反転したか否かにより判断する（ステップＳ１０）。基地局側が着信応答すれば回線の極性が反転するので、これが電話回線監視及び制御回路５７により検出される。１チップマイコンシステム５５は電話回線監視及び制御回路５７からの極性反転検出信号により、ＶＰＮ回線が確立したと判断し、回線接続ＬＥＤ６５を点灯させる（図８のステップＳ１８）。
【００３１】
次に、ＶＰＮ回線接続ボタン６１がオンか否かを判断してＶＰＮ回線の切断動作が発生したか否かを確認する（ステップＳ１９）。ＮＯの場合には、極性の反転があったか否かを判断してＶＰＮ回線の切断が発生したか否かを確認する（ステップＳ２０）。ステップＳ１９あるいはステップＳ２０の判断がＹＥＳの場合にはステップＳ１３に移行する。また、ステップＳ１９及びステップＳ２０の判断がいずれもＮＯの場合にはＶＰＮ回線の確立が完了した状態に移行する（ステップＳ２１）。
【００３２】
一方、ステップＳ６でダイヤルアップトーンが検出されない場合には、一定時間の経過後、ＶＰＮ回線切断処理に移行する（ステップＳ１２）。回線接続ＬＥＤ６５を点滅（ステップＳ１３）させた後、ＶＰＮ回線接続ボタン６１がオンか否かを判断する（ステップＳ１４）。ここでの判断がＮＯの間はステップＳ１３に戻り、ＹＥＳになったときに回線接続ＬＥＤ６５を消灯させる（ステップＳ１５）。これにより回線異常での待受け状態に移行する（ステップＳ１７）。また、回線接続リレー５９をオフして回線を切断し（ステップＳ１６）、ステップＳ３に戻る。
【００３３】
また、ステップＳ１０の極性反転の判断がＮＯの場合は呼び出しを引き続き行い、１０回の呼び出し中に基地局側より着信応答が得られない場合には、ステップＳ１２に進んで上記したＶＰＮ回線切断処理を行う。
【００３４】
３．次に、基地局側状態確認動作について説明する。２．の回線接続操作によりＶＰＮ回線を確立した後、制御器１０は基地局側の状態確認動作に移行する。１チップマイコンシステム５５は、トーンエンコーダ／デコーダ５６に指令を出して基地局側状態確認信号としての５桁のＤＴＭＦトーンを被制御器１６に送出する（ステップＳ２２）とともに、基地局ＬＥＤ６８を点滅させる（ステップＳ２３）。
【００３５】
被制御器１６は予め取り込んだ基地局のステータスを含む応答信号を制御器１０に返す。制御器１０が該応答信号を受信すると、ステップＳ２４の判断がＹＥＳとなるので、次に、該応答信号に含まれる基地局ステータスが正常か否かすなわち基地局電圧が正常か否かを判断する（図９のステップＳ２８）。ここで正常である場合すなわち基地局側が運用可能であれば基地局ＬＥＤ６８を点灯させる（ステップＳ３０）。これにより、基地局側運用可能待受け状態に移行する（ステップＳ３１）。
【００３６】
また、ステップＳ２８において正常でない場合すなわち応答信号が正常であっても、含まれる基地局ステータスが不良（電源ＯＦＦ）の場合には基地局ＬＥＤ６８を３回点滅させた後、消灯させる（ステップＳ２９、Ｓ２５）。この状態は、後述のループ試験ボタン６２を押し、基地局が運用可能のステータスを受信するかあるいは被制御器１６側から基地局が運用可能となった信号を受信するまで保持される。不具合が解除されない場合は基地局側に何らかの障害が発生している可能性がある。
【００３７】
一方、ステップＳ２４においてステータスを含む応答信号を受信しない場合には基地局ＬＥＤ６８を消灯し（ステップＳ２５）、ループ試験ボタン６２がオンか否かを判断する（ステップＳ２６）。ここでの判断がＹＥＳの場合にはステップＳ２２に戻り、ＮＯの場合には基地局側ステータス受信不良での待受け状態になる。同時に、ステップＳ２５に戻る。
【００３８】
４．次に、待受け状態について説明する。上記した１．から３．の動作によって制御器１０及び基地局側が正常に運用可能な場合には、電源表示ＬＥＤ６６、回線接続ＬＥＤ６５、制御卓ＬＥＤ６９、基地局ＬＥＤ６８を点灯させて待受け状態に入る。この状態で基地局から受信音声が出力されるとスピーカ５３から音声が出力される。
【００３９】
５．次に送信動作について説明する。待受け状態において、制御器１０から基地局を介して音声を移動局に送信する場合には、操作者は制御器１０に接続されたマイクロホンのＰＴＴボタンを押す。１チップマイコンシステム５５は、ＰＴＴボタンが押されたことを検出すると送信制御に移行する（ステップＳ３３）。
【００４０】
すなわち、１チップマイコンシステム５５は、トーンエンコーダ／デコーダ５６によって基地局送信信号としての送信オンＤＴＭＦトーンを被制御器１６に送出する（ステップＳ３４）。その後、被制御器１６からの基地局送信開始信号の受信（ステップＳ３４−１）を待って、送信表示ＬＥＤ６７を点灯する（ステップＳ３５）とともにオーディオ回路及び制御回路５１をミュート状態にする。その後、マイク音声回路（図示せず）を有効にし、マイクロホンを介して入力される音声を被制御器１６に送出する。
【００４１】
図１０は上記したステップＳ３４−１の詳細を示すフローチャートである。ステップＳ３４の実行の後、まず、基地局送信開始信号を受信したか否かを判断し（ステップＳ１００）、ＹＥＳならばステップＳ３５に進み、ＮＯならば送信開始制御ＤＴＭＦトーンを送出する（ステップＳ１０１）。次に、基地局送信開始信号を受信したか否かを再び判断し（ステップＳ１０２）、ＹＥＳならばステップＳ３５に進み、ＮＯならば基地局ＬＥＤ６８を点滅させた後、消灯する（ステップＳ１０３、Ｓ１０４）。その後、ステップＳ２５に移行する。
【００４２】
６．次に送信終了動作について説明する。送信を終了する場合、操作者はマイクロホンのＰＴＴボタンを離す。ＰＴＴボタンが離されたことが検出されると、ステップＳ３６の判断がＹＥＳとなる。１チップマイコンシステム５５はトーンエンコーダ／デコーダ５６から基地局送信終了信号としての送信オフＤＴＭＦトーンを被制御器１６に送出する（ステップＳ３７）。その後、被制御器１６からの基地局送信終了信号の受信（ステップＳ３７−１）を待って、送信表示ＬＥＤ６７を消灯する（ステップＳ３８）。さらにオーディオ回路及び制御回路５１を受信状態に設定して、ステップＳ３２に戻る。
【００４３】
ステップＳ３２でＰＴＴボタンのオンが検出されない場合には受信待受け状態に移行する（ステップＳ３９）。
【００４４】
図１１は上記したステップＳ３７−１の詳細を示すフローチャートである。ステップＳ３７の実行の後、まず、基地局送信解除信号を受信したか否かを判断し（ステップＳ２００）、ＹＥＳならばステップＳ３８に進み、ＮＯならば送信終了制御ＤＴＭＦトーンを送出する（ステップＳ２０１）。次に、基地局送信解除信号を受信したか否かを再び判断し（ステップＳ２０２）、ＹＥＳならばステップＳ３８に進み、ＮＯならば基地局ＬＥＤ６８を点滅させた後、消灯する（ステップＳ２０３、Ｓ２０４）。その後、ステップＳ２５に移行する。
【００４５】
７．次にループ試験動作について説明する。制御器１０にはループ試験ボタン６２が設けられている。このボタンはＰＴＴボタンを押して送信操作を行っても移動局から応答がない場合等、システムが正常に動作していないと思われる場合に使用される。操作者がループ試験ボタン６２を押すと、ステップＳ４０の判断がＹＥＳとなり、ループ診断機能の実行（ステップＳ４１）に移行する。１チップマイコンシステム５５はトーンエンコーダ／デコーダ５６からループ信号として基地局側の状態を要求するＤＴＭＦトーン（５桁）を被制御器１６に送出し（ステップＳ４２）、被制御器１６からの応答を待つ。応答待ちの間、基地局ＬＥＤ６８を点滅させる（ステップＳ４３）。その後は図８のステップＳ２４に戻ってそれ以降を実行する。
【００４６】
８．次に回線切断動作（その１）について説明する。回線を切断する場合、操作者は回線接続ボタン６５を再度押す。これによってステップＳ４４の判断がＹＥＳとなり、１チップマイコンシステム５５は、回線切断要求が発生したと判断する。従って、ステップＳ１２のＶＰＮ回線切断処理に移行する。回線を再度接続する場合には２．の回線接続操作を行えばよい。
【００４７】
９．次に回線切断動作（その２）について説明する。回線の切断が発生する場合は上記８．以外にも以下の場合がある。その１つは、回線が接続されている状態で極性が反転した場合である。極性が反転する原因として、例えば被制御器１６の動作不良、ＶｏＩＰゲートウェイの不具合、ＶＰＮ回線の不具合などがある。また、２つ目は、物理的に電話回線が切断されたことなどによって回線断音が検出された場合である。
【００４８】
すなわち、ステップＳ４４で回線接続ボタン６１がオンでないと判断されたときには、極性反転の判断（ステップＳ４５）と回線断音検出（ステップＳ４６）が順に行われ、極性が反転していると判断された場合、あるいは回線断音が検出された場合にはステップＳ１２のＶＰＮ回線切断処理に移行する。さらに、次のステップＳ４７でステータスを含む応答信号を受信したか否かの判断を行い、ＮＯならばステップＳ３１に、ＹＥＳならばステップＳ２８に戻る。
【００４９】
以下に、図４及び図１２、図１３を参照してＶｏＩＰ被制御器（以下では被制御器と呼ぶ）１６の動作の詳細を説明する。
【００５０】
１．まず、電源ＯＮの動作について説明する。被制御器１６に電源（ＡＣアダプタ）を接続すると（ステップＳ５０）、内部の１チップマイコンシステム８５は初期化動作を実行する（ステップＳ５１）。ここでは、ＶＰＮ回線リレーの初期化、ＬＥＤの初期化、Ｉ／Ｏの初期化、基地局状態信号の取り込みを行う。被制御器１６が正常に立ち上がった場合には電源表示ＬＥＤ９９とＣＰＵ動作表示ＬＥＤ９６が点灯し、その後、被制御器１６は待受け状態に移行する（ステップＳ５２）。
【００５１】
２．次に、回線接続について説明する。待受け状態において、制御器１０から回線接続動作が行われて被制御器側のＶｏＩＰゲートウェイ２６を介して着信音（リンガトーン）が被制御器１６に入力されると、回線接続動作が開始される。すなわち、１チップマイコンシステム８５は着信音を検出すると（ステップＳ５３）、回線接続ＬＥＤ９７を点滅させ（ステップＳ５４）、入力されたリンガトーンの回数をカウントし、４回カウントされると（ステップＳ５５）、正しい着信要求であると判断してフックアップ動作を行う（ステップＳ５６）。すなわち、１チップマイコンシステム８５は、電話回線監視及び制御回路８４を介して回線接続リレー８１をオンする。次に回線接続ＬＥＤ９７を点灯させる（ステップＳ５７）。以上の処理によってＶＰＮ回線の確立動作が完了した状態に移行する（ステップＳ５８）。
【００５２】
次に、極性反転によりＶＰＮ回線切断が発生したか否かを判断し（ステップＳ５９）、続いて回線断音によりＶＰＮ回線切断が発生したか否かを判断する（ステップＳ６０）。極性反転あるいは回線断音（ツーツー音）による回線切断が発生した場合には回線切断工程（ステップＳ６１）に移行する。まず、回線接続ＬＥＤ９７を点滅させ（ステップＳ６２）、次に該回線接続ＬＥＤ９７を消灯し（ステップＳ６３）、さらに回線接続リレー８１をオフ（ステップＳ６４）してステップＳ５３に戻る。
【００５３】
ステップＳ５９において極性の反転がなくかつステップＳ６０において回線断音が検出されなかった場合には基地局状態送出工程に移行する（図１３のステップＳ６５）。
【００５４】
３．次に、基地局状態信号送出動作について説明する。２．の動作でＶＰＮ回線が確立された後、被制御器１６は基地局状態信号送出動作に移行する。被制御器１６は電源オン時、無線機接続コネクタの＋１２Ｖ端子をモニタし、基地局の電源検出回路から１チップマイコンシステム８５にそのステータスを取り込む。ＶＰＮ回線の確立後、制御器１０から被制御器１６に送られる制御信号はトーンエンコーダ／デコーダ８３を介して１チップマイコンシステム８５に入力される。
【００５５】
ＶＰＮ回線確立の直後は制御器１０から基地局側状態確認信号が送られてくる。被制御器１６がこの確認信号を検出すると（ステップＳ６６）、１チップマイコンシステム８５は、トーンエンコーダ／デコーダ８３を介して制御器１０に基地局状態信号を含む応答信号を送出する（ステップＳ６７）。また、一定時間の間、基地局側状態確認信号を受信しないときであっても、被制御器１６から制御器１０に対して基地局状態信号を含む応答信号を送出する（ステップＳ６８）。
【００５６】
次に基地局状態が異常か否かを判断し（ステップＳ６９）、異常であると判断された場合には基地局状態情報を取り込み（ステップＳ７０）、ステップＳ５９（図１０）以降を実行する。また、基地局状態が正常であると判断された場合には基地局運用可能待受け状態に移行する（ステップＳ７１）。
【００５７】
４．次に、待受け状態について説明する。１．から３．の動作により被制御器及び基地局が正常に運用可能な場合には、電源表示ＬＥＤ９９、回線接続ＬＥＤ９７、ＣＰＵ動作表示ＬＥＤ９６が点灯する。この状態で基地局から受信音声が出力された場合にはＶｏＩＰゲートウェイを介して制御器１０に音声信号を出力する。
【００５８】
５．次に、送信動作について説明する。被制御器１６が制御器１０から基地局送信制御信号を受信した場合、当該基地局送信制御信号はトーンエンコーダ／デコーダ８３を介して１チップマイコンシステム８５に入力される。１チップマイコンシステム８５は入力された信号が送信要求信号であると判断した場合（ステップＳ７２）、送信制御工程に移行する（ステップＳ７３）。すなわち、ＰＴＴラッチ・ＰＴＴ維持制御回路８７を介して、送信制御出力（Ｌｏｗ）を無線機接続端子８９から基地局に出力するとともに（ステップＳ７４）、送信表示ＬＥＤ９８を点灯させる（ステップＳ７５）と共に応答信号を制御器１０に送出する（ステップＳ７５−１）。
【００５９】
１チップマイコンシステム８５は、送信開始と同時に６０秒タイマをスタートさせる（ステップＳ７６）。通常の会話では、１送話は６０秒以内に終了するので実際は６０秒を待つことなしに送信解除信号が入力される（ステップＳ７７）。また、何らかの原因により６０秒を経過（ステップＳ７８）しても送信解除信号が得られない場合には後述する手順で送信を終了させて、異常送信状態が継続するのを防止する。
【００６０】
ＰＴＴラッチ／ＰＴＴ維持制御回路８７は、被制御器１６の１チップマイコンシステム８５が制御異常を起こし、基地局が送信状態となった場合には強制的に基地局の送信を停止させる機能を有している。この回路８７により、たとえ１チップマイコンシステム８５が動作不良となった場合であっても基地局の異常送信状態を解除することができる。
【００６１】
６．次に、送信終了動作について説明する。制御器１０から基地局送信解除制御信号を受信した場合、基地局送信解除制御信号はトーンエンコーダ／デコーダ８３を介して１チップマイコンシステム８５に入力される。１チップマイコンシステム８５は入力された信号が送信解除要求信号と判断された場合、ＰＴＴラッチ／ＰＴＴ維持制御回路８７を介して送信解除制御出力（Ｈｉｇｈ）を無線機接続端子８９から基地局に出力して基地局の送信を終了する（ステップＳ７９）。同時に、送信表示ＬＥＤ９８を消灯させて（ステップＳ８０）、被制御器１６を受信待受け状態に設定すると共に基地局送信終了応答信号を制御器１０に送出する（ステップＳ８０−１）。その後、ステップＳ７２に移行する。
【００６２】
７．次に、ループ試験動作について説明する。制御器１０からループ試験要求信号が出力されると、ループ試験要求信号はトーンエンコーダ／デコーダ８３を介して１チップマイコンシステム８５に入力される。１チップマイコンシステム８５は入力された信号がループ試験要求信号であると判断した場合、トーンエンコーダ／デコーダ８３を介して応答信号を制御器１０に出力する。
【００６３】
８．次に、基地局状態送出動作について説明する。被制御器１６は基地局電源検出部８８を介して基地局の状態を常時監視している（＋１２Ｖ出力モニタ）。基地局の状態が変化した場合にはトーンエンコーダ／デコーダ８３を介してその情報を制御器１０に送出する。
【００６４】
９．次に、回線切断動作について説明する。以下の場合には回線異常であると判断して、ＶｏＩＰゲートウェイとの接続を解除する。
【００６５】
（１）接続状態で回線に極性反転が発生した場合（制御器１０からの回線解除）
（２）回線断音検出の場合（物理的に電話回線が切断した場合）
接続を解除するためには回線接続ＬＥＤ９７を３秒間点滅させた後、回線接続ＬＥＤ９７を消灯させ、同時に回線接続リレー８１を切り離す。
【００６６】
なお、上記した制御器を例えば同一建物内の複数の個所にそれぞれ配置し、そのうちの特定の１つをＩＰゲートウェイに接続するようにしてもよい。この場合、ＩＰゲートウェイに接続された制御器がマスターとして回線接続機能を有し、その他の制御器は並列に接続される。また、上記複数の制御器はかならずしも同一建物内に配置されていなくともよい。
【００６７】
図１４は、１つの筐体の中にＶｏＩＰ制御機能を実現するために複数（図では８個）のＶｏＩＰ制御器基板１０−１〜１０−８を配置した拡張型ＶｏＩＰ制御器の構成を示す図である。この構成では、各ＶｏＩＰ制御器基板１０−１〜１０−８は、拡張インターフェース基板１０−９を介して複数のＶｏＩＰ被制御器１６−１〜１６−８のそれぞれとＶＰＮ回線接続を確立することができ、複数の無線機１７−１〜１７−８を個々に制御することができる。
【００６８】
このような拡張型ＶｏＩＰ制御器を同一の建物内の複数の個所にそれぞれ配置し、そのうちの特定の１つをＩＰゲートウェイにそれぞれ接続するようにしてもよい。この場合、ＩＰゲートウェイに接続されたＶｏＩＰ制御器がマスターとして回線接続機能を有し、その他のＶｏＩＰ制御器は並列に接続される。また、上記複数のＶｏＩＰ制御器はかならずしも同一建物内に配置されていなくともよい。
【００６９】
上記の説明からわかるように、制御器１０は以下の機能を備えている。
【００７０】
１．    ＶｏＩＰゲートウェイへの接続機能
２．    安定した基地局制御（連続制御信号を使用しないため、ＶＰＮ回線の瞬断、レベルの変動等の影響を受けない）
３．基地局監視機能（基地局の状態の監視）
４．拡張端子の装備（延長、集約）
５．被制御器診断機能
また、被制御器１６の機能としては以下の機能を備えている。
【００７１】
１．ＶｏＩＰゲートウェイへの応答機能（受信検出及び自動応答）
２．回線不具合検出時の自動切断機能
３．基地局状態検出機能及び制御器への基地局異常信号の送出
４．連続送信の監視及び解除機能
上記した実施形態によれば、簡単操作で安価かつ汎用性があり、従来の専用線を使用した無線装置制御システムと同等のサービスをＶＰＮ上で提供することができる。
【００７２】
また、ＶｏＩＰ技術により、より遠隔地の制御及び音声伝達が信号の劣化無しに可能となる。
【００７３】
また、専用の拡張設備によって複数基地局の同時運用、音声の中継などが可能となる。
【図面の簡単な説明】
【００７４】
【図１】本発明に係る無線装置制御システムの基本的な接続構成を示す図である。
【図２】本発明を基地局の無線機制御に適用したときの遠隔制御システムの接続構成を示す図である。
【図３】図１に示すＶｏＩＰ制御器１０の具体的な一構成を示すブロック図である。
【図４】図１に示すＶｏＩＰ被制御器１６の具体的な一構成を示すブロック図である。
【図５】本実施形態の制御システムにおいて用いられる音声帯域を示す図である。
【図６】ＶｏＩＰ制御器がＶＰＮ回線を使用してＶｏＩＰ被制御器と通信を行うときの信号送信のようすを示す図である。
【図７】ＶｏＩＰ制御器１０の動作の詳細を説明するための図（その１）である。
【図８】ＶｏＩＰ制御器１０の動作の詳細を説明するための図（その２）である。
【図９】ＶｏＩＰ制御器１０の動作の詳細を説明するための図（その３）である。
【図１０】ステップＳ３４−１の詳細を示すフローチャートである。
【図１１】ステップＳ３７−１の詳細を示すフローチャートである。
【図１２】ＶｏＩＰ被制御器１６の動作の詳細を説明するための図（その１）である。
【図１３】ＶｏＩＰ被制御器１６の動作の詳細を説明するための図（その２）である。
【図１４】１つの筐体の中にＶｏＩＰ制御機能を備えた複数のＶｏＩＰ制御器基板を配置した拡張型ＶｏＩＰ制御器の構成を示す図である。
【図１５】従来の基地局制御システムの構成を示す図である。
【符号の説明】
【００７５】
１０  ＶｏＩＰ制御器
１１  モジュラーケーブル
１２  ＩＰゲートウェイ（ＩＰ ＧＷ）
１３  ＩＰネットワーク
１４  ＩＰゲートウェイ（ＩＰ ＧＷ）
１５  モジュラーケーブル
１６  ＶｏＩＰ被制御器
１７  無線装置
１８  アンテナ
２０  遠隔制御器
２１  遠隔制御器−ＶｏＩＰインターフェース装置
２２  ＶｏＩＰゲートウェイ
２３  ブロードバンドルーター
２４  ＩＰネットワーク
２５  ブロードバンドルーター
２６  ＶｏＩＰゲートウェイ
２７  無線−ＶｏＩＰインターフェース装置
２８  基地局無線機
２９  アンテナ
５１、８６  オーディオ回路及び制御回路
５５、８５  １チップマイコンシステム
５６、８３  トーンエンコーダ／デコーダ
５７、８４  電話回線監視及び制御回路
５８、８２  トランス
５９、８１  回線接続リレー
８７  ＰＴＴラッチ／ＰＴＴ維持制御回路
８８  基地局電源検出部
【図１】
2007150735.tif 000003
【図２】
2007150735.tif 000004
【図３】
2007150735.tif 000005
【図４】
2007150735.tif 000006
【図５】
2007150735.tif 000007
【図６】
2007150735.tif 000008
【図７】
2007150735.tif 000009
【図８】
2007150735.tif 000010
【図９】
2007150735.tif 000011
【図１０】
2007150735.tif 000012
【図１１】
2007150735.tif 000013
【図１２】
2007150735.tif 000014
【図１３】
2007150735.tif 000015
【図１４】
2007150735.tif 000016
【図１５】
2007150735.tif 000017